(57)【特許請求の範囲】
【請求項１】
液状のインクを貯留するインク貯留部と、インクを含浸可能なペン先部であって、棒状に成形されたペン先部と、ペン先部が軸心方向に移動可能に挿入された貫通孔を有するホルダー部と、ペン先部とインク貯留部との間に介設された弁機構であって、ペン先部によって押圧されることで開弁し、インク貯留部とペン先部とを繋ぐ連通路を開放させる弁機構とを備えたペンに対してペン先部をホルダー部から抜き取った状態でインクを補充するためのインク充填具であって、液状のインクを貯留可能な内部空間を有するインクタンク部と、インクタンク部の内部空間と連通する内孔を有する筒状のノズル部であって、前記貫通孔に挿入可能なノズル部と、ノズル部を包囲した環状のガイド部であって、前記ペンのホルダー部に外嵌可能なガイド部と、を備え、ノズル部は、貫通孔に挿入された状態で弁機構を押圧操作可能に構成されるとともに、自身の軸心と直交する方向で内孔と外部とを連通させたインク流通部を有することを特徴とするインク充填具。
【請求項２】
ノズル部の内孔は、先端で開口し、前記インク流通部は、ノズル部の先端面に形成された凹部で構成されている請求項１に記載のインク充填具。
【発明の詳細な説明】
【技術分野】
【０００１】
本発明は、液状のインクを貯留するインク貯留部を有するペンに対してインクを充填するためのインク充填具に関する。
【背景技術】
【０００２】
従来から、筆記具や化粧具等として用いられるペンには、種々タイプのものがあり、その一つとして、液状のインクを貯留するインク貯留部と、インクを含浸可能なペン先部であって、棒状に成形されたペン先部と、ペン先部を軸心方向に移動可能に挿入する貫通孔を有するホルダー部と、ペン先部が軸心方向に押圧されることで開弁する弁機構であって、開弁状態でインク貯留部からペン先部に向けてインクを流通させる弁機構とを備えたものがある。
【０００３】
かかるペンは、ペン先部をインクの塗布対象に接触させることで、ペン先部に含浸されたインクを塗布対象に塗布できるようになっている。そして、この種のペンは、ペン先部のインクの含浸量が少なくなると、ペン先部を押圧することで弁機構を開弁させ、インク貯留部内のインクをペン先部に対して供給するようになっている。これにより、この種のペンは、必要に応じてペン先部をインクで潤沢にでき、筆記等を良好に行えるようになっている（例えば、特許文献１参照）。
【先行技術文献】
【特許文献】
【０００４】
【特許文献１】特開平８−７２４６９号公報
【発明の概要】
【発明が解決しようとする課題】
【０００５】
ところで、この種のペンは、インク貯留部のインクが無くなると、ペン先部や弁機構が未だ使用可能な状態であるにも拘わらず、廃棄されるのが一般的である。
【０００６】
このような現状において、インク貯留部にインクを供給することで、再利用可能とすることが要求されている。特に、長期に亘って使用したペンは、使用者の癖が付き、継続して使用することが望まれている。
【０００７】
そこで、本発明は、使用済みのペンを再使用可能な状態にすることのできるインク充填具を提供することを課題とする。
【課題を解決するための手段】
【０００８】
本発明に係るインク充填具は、液状のインクを貯留するインク貯留部と、インクを含浸可能なペン先部であって、棒状に成形されたペン先部と、ペン先部が軸心方向に移動可能に挿入された貫通孔を有するホルダー部と、ペン先部とインク貯留部との間に介設された弁機構であって、ペン先部によって押圧されることで開弁し、インク貯留部とペン先部とを繋ぐ連通路を開放させる弁機構とを備えたペンに対してペン先部をホルダー部から抜き取った状態でインクを補充するためのインク充填具であって、液状のインクを貯留可能な内部空間を有するインクタンク部と、インクタンク部の内部空間と連通する内孔を有する筒状のノズル部であって、前記貫通孔に挿入可能なノズル部と、ノズル部を包囲した環状のガイド部であって、前記ペンのホルダー部に外嵌可能なガイド部と、を備え、ノズル部は、貫通孔に挿入された状態で弁機構を押圧操作可能に構成されるとともに、自身の軸心と直交する方向で内孔と外部とを連通させたインク流通部を有することを特徴とする。
【０００９】
上記構成のインク充填具によれば、インクの充填の対象となるペンのペン先部をホルダー部（貫通孔）から抜き取った上で、ノズル部がペンのホルダー部における貫通孔に挿入されると、ノズル部がペンの弁機構に到達する。
【００１０】
そして、インク充填具全体がペン側に押されると、ノズル部が弁機構を押圧操作し、弁機構を開弁させる。そうすると、インクタンク部の内部空間は、ホルダー部の貫通孔内にあるノズル部の内孔、インク流通部、及び開放状態にある連通路を介してインク貯留部の内部空間と連通した状態となる。
【００１１】
より具体的に説明すると、ノズル部の内孔がインクタンク部から真っ直ぐ延びた上でノズル部の先端部で閉塞した状態で形成されたり、ノズル部の内孔がインクタンク部から真っ直ぐ延びた上でノズル部の先端で開放して形成され、弁機構に対する押圧操作に伴って閉ざされるように形成されたりすると、インクの流路が遮断されてしまう。
【００１２】
しかし、上記構成のインク充填具のノズル部は、自身の軸心と直交する方向で内孔と外部とを連通させたインク流通部を有するため、ノズル部の先端と異なる位置にあるインク流通部を介してノズル部の内孔と開放状態の連通路とが連通し、結果的にインクタンク部とインク貯留部とが連通する。
【００１３】
これにより、インク充填具は、インクタンク部内のインクを、ノズル部の内孔、インク流通部、及び連通路を経由させてインク貯留部に流入させることができる。
【００１４】
そして、ペンのインク貯留部にインクが必要量供給されると、ノズル部をホルダー部（貫通孔）から抜き取るようにインク充填具全体を移動させる。そうすると、弁機構に対するノズル部の押圧操作が解除される。その結果、弁機構内の連通路が閉塞されるため、インク貯留部内のインクの漏洩が防止される。そして、ホルダー部（貫通孔）にペン先部が挿入されることで、インク切れであったペンが再使用可能な状態となる。
【００１５】
さらに、ペンのホルダー部の貫通孔にノズル部を挿入するに当り、ガイド部がホルダー部の外周に案内される。従って、ノズル部をホルダー部の貫通孔に対して適正且つ確実に挿入することができる。
【００１６】
この場合、ノズル部の内孔は、先端で開口し、前記インク流通部は、ノズル部の先端面に形成された凹部で構成されてもよい。このようにすれば、ノズル部が弁機構を押圧したときに、ノズル部の先端で開口した内孔は弁体によって閉じられるのに併せて、凹部の開放部分が弁体によって閉じられる。従って、インク流通部が孔状になり、インクを内孔から外方に流出させることができる。
【発明の効果】
【００１７】
以上のように、本発明に係るインク充填具は、使用済みのペンを再使用可能な状態にすることができるという優れた効果を奏し得る。
【図面の簡単な説明】
【００１８】
【図１】図１は、本発明の一実施形態に係るインク充填具の対象とするペンの断面図である。
【図２】図２は、同実施形態に係るインク充填具の対象とするペンの部分拡大断面図である。
【図３】図３は、同実施形態に係るインク充填具の正面図である。
【図４】図４は、同実施形態に係るインク充填具の断面図である。
【図５】図５は、同実施形態に係るインク充填具の部分拡大断面図である。
【図６】図６は、同実施形態に係るインク充填具と対象となるペンとを連結した状態の断面図である。
【図７】図７は、同実施形態に係るインク充填具と対象となるペンとを連結した状態の部分拡大断面図である。
【図８】図８は、本発明の他実施形態に係るインク充填具の断面図である。
【発明を実施するための形態】
【００１９】
以下、本発明の一実施形態について、添付図面を参照しつつ説明する。
【００２０】
まず、本実施形態に係るインク充填具によるインクの充填対象となるペンについて説明する。
【００２１】
かかるペンは、図１に示す如く、液状のインクを貯留するインク貯留部６と、インクを含浸可能なペン先部７であって、棒状に成形されたペン先部７と、ペン先部７が軸心方向に移動可能に挿入された貫通孔８０を有するホルダー部８と、ペン先部７とインク貯留部６との間に介設された弁機構９とを備える。
【００２２】
インク貯留部６は、一端と他端とを有する筒状の周壁部６０と、周壁部６０の一端を閉塞する尻部６１とを備える。周壁部６０及び尻部６１は、インクを収容する内部空間Ｓ２を画定している。
【００２３】
ペン先部７は、図２に示す如く、棒状に形成され、軸線方向の一端部がインクの塗布対象にインクを塗布する塗布部７０とされ、軸線方向の他端部がインクの供給位置となるインク供給部７１とされている。ペン先部７は、フェルトや、不織布、綿、糸等の繊維材を成形にしたもので、全体的に吸液性を有する。
【００２４】
ホルダー部８は、ペン先部７が挿入される貫通孔８０を有するペン先保持部８１を備える。また、本実施形態に係るホルダー部８は、弁機構９を保持する弁機構保持部８２であって、ペン先保持部８１と連続して形成された弁機構保持部８２を備える。
【００２５】
ペン先保持部８１は、筒状に形成されている。本実施形態において、ペン先保持部８１は、段付き筒状に形成されている。すなわち、ペン先保持部８１は、小径筒部８１０と、該小径筒部８１０よりも大径な大径筒部８１１であって、小径筒部８１０と連続する大径筒部８１１とを有する。これに伴い、小径筒部８１０の内孔８０ａ、及び大径筒部８１１の内孔８０ｂは、同心で連続し、ペン先部７を挿通させる貫通孔８０を構成している。本実施形態において、小径筒部８１０の内孔８０ａは、ペン先部７の断面形状及び断面サイズに対応している。すなわち、小径筒部８１０の内孔８０ａを画定する内周面は、ペン先部７の外周面に接触可能に形成されている。これにより、ペン先部７は、外周面が小径筒部８１０の内周面にガイドされつつ軸心方向に移動可能で且つ抜き差し可能に貫通孔８０に挿入される。
【００２６】
この種のペン５は、液状のインクをペン先部７に含浸させるため、一般的に、ペン先部７の周囲に配置される保湿部材８３であって、ペン先部７の乾燥を防止するための保湿部材８３を備える。保湿部材８３は、吸液性を有し、インクを含浸可能に構成される。すなわち、保湿部材８３は、フェルトや、不織布、綿、糸等の繊維材を成形にしたもの、或いは、海綿体で、全体的に吸液性を有する。ここでは、保湿部材８３には、海綿体が採用されている。保湿部材８３は、小径筒部８１０の内孔８０ａと同径又は略同径の内孔８３ａを有し、自身の内孔８３ａが小径筒部８１０の内孔８０ａと同心となるように、ホルダー部８の大径筒部８１１の内孔８０ｂに嵌入されている。
【００２７】
これにより、ペン先部７は、塗布部７０を小径筒部８１０から外方に突出させた状態で、小径筒部８１０の内孔８０ａと保湿部材８３の内孔８３ａとに跨って配置される。
【００２８】
弁機構保持部８２は、筒状に形成され、軸心方向に一端と他端とを有する。弁機構保持部８２は、内孔８２ａ内で弁機構９を保持可能に形成される。
【００２９】
本実施形態において、弁機構保持部８２は、ペン先保持部８１の大径筒部８１１よりも大径に設定され、一端が大径筒部８１１（ペン先保持部８１）に接続されている。本実施形態において、弁機構保持部８２の他端側は、インク貯留部６（周壁部６０の他端部）に嵌着されている。これにより、ホルダー部８は、インク貯留部６の周壁部６０の他端側を閉塞し、該インク貯留部６の内部空間Ｓ２を密閉している。
【００３０】
弁機構９は、貫通孔８０とインク貯留部６（内部空間Ｓ２）とを繋ぐ連通路９００を有する弁本体９０であって、前記連通路９００内に環状の弁座部９０１を有する弁本体９０と、連通路９００内にペン先部７の軸心方向で移動可能に配置された弁体９１であって、ペン先部７側に付勢されることで弁座部９０１に当接して連通路９００を閉じる弁体９１とを備える。
【００３１】
弁本体９０は、環状の弁座部９０１を有する第一部材９２と、弁体９１を案内する弁体案内部９３１を有する第二部材９３であって、第一部材９２と組み合わされる第二部材９３とを備える。
【００３２】
第一部材９２は、連通路９００の一部を構成する内孔９２０ａを有する筒状の本体部９２０であって、一端と反対側の他端とを有する本体部９２０と、本体部９２０の一端部から径方向外方に延出した鍔部９２１であって、外径が弁機構保持部８２の内孔８２ａの内径と略同径に設定された鍔部９２１とを備える。
【００３３】
本体部９２０の内孔９２０ａは、該本体部９２０の一端側にある大径孔部９２０ｂと、該大径孔部９２０ｂよりも小径な小径孔部９２０ｃであって、本体部９２０の他端側で大径孔部９２０ｂと繋がる小径孔部９２０ｃとによって構成される。
【００３４】
弁座部９０１は、小径孔部９２０ｃを画定する内周面と本体部９２０の他端面との境界に設けられる。具体的には、弁座部９０１は、環状のシール部材Ｓを備え、シール部材Ｓは、本体部９２０の他端面上にある小径孔部９２０ｃの開口縁部に配置されている。
【００３５】
第二部材９３は、軸心方向に一端と他端とを有し、一端から他端までの長さが本体部９２０の一端から他端までのよりも長く設定された筒状本体部９３０であって、一端側が第一部材９２の本体部９２０に外嵌可能な筒状本体部９３０と、弁体９１（後述する案内部９１２）を挿入可能なガイド孔９３０ａを有する環状の弁体案内部９３１であって、外周が筒状本体部９３０の他端に接続された弁体案内部９３１とを備える。
【００３６】
筒状本体部９３０の外径は、弁機構保持部８２の内孔８２ａの内径と略同径に設定されている。
【００３７】
第二部材９３の筒状本体部９３０は、内部に弁体９１と該弁体９１を付勢する付勢部材（ここではコイルバネ）９４が配置された上で第一部材９２の本体部９２０に外嵌される。この状態で、弁体案内部９３１は、付勢部材９４であるコイルバネの一端を受けるバネ受部としても機能する。
【００３８】
そして、鍔部９２１の外径、及び筒状本体部９３０の外径は、弁機構保持部８２の内孔８２ａの内径と略同径に設定されているため、組み上げられた弁本体９０は、弁機構保持部８２の内孔８２ａに嵌入されることで、ホルダー部８の貫通孔８０をペン先保持部８１側と反対側とを液密に区画している。
【００３９】
弁体９１は、一端と他端とを有する弁部９１０であって、一端側が弁座部９０１のシール部材Ｓに対して当接可能な弁部９１０と、弁部９１０の一端から延出した被押圧部９１１であって、弁本体９０における本体部９２０の内孔に挿通される被押圧部９１１と、弁部９１０の他端から延出した案内部９１２であって、弁本体９０（第二部材９３）のガイド孔９３０ａ内に配置される案内部９１２とを備える。
【００４０】
弁部９１０の一端側は、テーパー状に形成されており、該テーパー面が弁座部９０１（シール部材Ｓ）の全周に対して密接可能になっている。弁部９１０の他端は、弁体案内部９３１をバネ受けとして支持された付勢部材９４に付勢される。すなわち、付勢部材９４は、弁部９１０と弁案内部９３１との間に介設され、弁部９１０を介して弁体９１全体をペン先部７側に付勢している。
【００４１】
被押圧部９１１は、棒状に形成され、当該被押圧部９１１の先端により、ホルダー部８の貫通孔８０に挿通されたペン先部７のインク供給部７１を支持するようになっている。被押圧部９１１の外径は、弁本体９０における第一部材９２の小径孔部９２０ｃよりも小径に設定されている。これにより、該小径孔部９２０ｃを画定する内周面と被押圧部９１１の外周面との間にインクを流通させるための隙間が形成可能になっている。なお、図示された被押圧部９１１は、先端で開放した孔部（採番しない）を有し、該孔部にもインクを保持させるようになっている。
【００４２】
案内部９１２は、棒状に形成され、軸心方向に一端と他端とを有する。案内部９１２の一端は、弁部９１０の他端に接続されている。案内部９１２の他端部は、弁体案内部９３１のガイド孔９３０ａ内に配置される。より具体的には、案内部９１２の他端部は、一端部よりも大径に設定されており、外周面がガイド孔９３０ａを画定する内周面に案内されるようになっている。なお、被押圧部９１１及び案内部９１２は、同心になるように配置されている。
【００４３】
本実施形態に係るインク充填具が前提とするペン５は、以上の通りであり、ペン先部７（塗布部７０）を押圧することで、弁機構９の被押圧部９１１がペン先部７に押され、弁体９１の弁部９１０が弁座部９０１（シール部材Ｓ）から離間するようになっている。すなわち、上記構成のペン５は、弁機構９を開弁させることで、インク貯留部６内のインクをペン先部７に対して供給するようになっている。
【００４４】
次に、本実施形態に係るインク充填具について説明する。
【００４５】
インク充填具は、図３及び図４に示す如く、液状のインクを貯留可能な内部空間Ｓ１を有するインクタンク部２０と、インクタンク部２０の内部空間Ｓ１と連通する内孔３００を有する筒状のノズル部３０であって、前記貫通孔８０に挿入可能なノズル部３０とを備える。本実施形態に係るインク充填具１は、ノズル部３０を包囲した環状のガイド部４０であって、前記ペン５のホルダー部８に外嵌可能なガイド部４０を更に備えている。
【００４６】
より具体的に説明すると、図４に示す如く、本実施形態に係るインク充填具１は、インクタンク部２０を含む貯留部材２と、ノズル部３０を含む筒部材３と、筒部材３を貯留部材２に連結する連結部材４であって、ガイド部４０を含む連結部材４とを備える。
【００４７】
貯留部材２は、インクタンク部２０と、インクタンク部２０に接続された連結部２１であって、筒部材３（ノズル部３０）を連結するための連結部２１とを備える。
【００４８】
インクタンク部２０は、一端と他端とを有する筒状の胴部２００と、胴部２００の一端を閉塞する閉塞部２０１とを備える。インクタンク部２０において、胴部２００及び閉塞部２０１は、インクを収容する内部空間Ｓ１を画定している。連結部２１は、筒状に形成されており、胴部２００の他端に接続されている。本実施形態において、連結部２１は、胴部２００よりも小径に設定されている。連結部２１の外周面上には、連結部材４を螺合させる雄ねじ２１０が形成されている。
【００４９】
図４及び図５に示す如く、筒部材３は、軸心方向に先端と基端とを有するノズル部３０と、ノズル部３０の基端部から径方向外方に延出した固定用鍔部３１であって、貯留部材２に固定するための固定用鍔部３１とを備える。
【００５０】
ノズル部３０は、ペン５のホルダー部８の貫通孔８０に挿入された状態で、ペン５の弁体９１（被押圧部９１１）を押圧可能に構成される。また、ノズル部３０は、自身の軸心と直交する方向で内孔３００と外部とを連通させたインク流通部３０１を有する。
【００５１】
より具体的に説明する。ノズル部３０の外径は、ペン５のホルダー部８の貫通孔８０の孔径と略同径に設定されている。これにより、ノズル部３０がペン５のホルダー部８の貫通孔８０に挿入されるときに、ノズル部３０の外周面がホルダー部８の貫通孔８０の内周面に案内されるようになっている。
【００５２】
ノズル部３０は、ペン５のホルダー部８の貫通孔８０に挿入した状態で、弁体９１の被押圧部９１１を押圧可能な長さに設定されている。すなわち、固定用鍔部３１からノズル部３０の先端までの長さは、弁部９１０が弁座部９０１（シール部材Ｓ）に接触した状態における被押圧部９１１の先端からペン先部７を外部に延出させるホルダー部８の先端までの距離よりも長く設定されている。
【００５３】
ノズル部３０の内孔３００は、先端及び基端で開口している。すなわち、ノズル部３０の内孔３００は、該ノズル部３０の基端から先端までの全長に亘って形成されている。
【００５４】
インク流通部３０１は、ノズル部３０の先端面に形成された凹部で構成されている。本実施形態において、インク流通部３０１は、ノズル部３０の先端面の二箇所に設けられている。
【００５５】
固定用鍔部３１の内径は、ノズル部３０の内孔３００の孔径と同径に設定され、固定用鍔部３１の外径は、連結部２１の外径と同径に設定されている。
【００５６】
連結部材４は、筒部材３の固定用鍔部３１を貯留部材２の連結部２１に固定する固定部４１を備える。本実施形態において、連結部材４は、固定部４１に加え、該固定部４１に連設されたガイド部４０を含む。
【００５７】
固定部４１は、連結部２１に螺合可能で且つ連結部２１の端面に重ね合わされ筒部材３の固定用鍔部３１を連結部２１側に押圧可能に構成される。具体的には、固定部４１は、連結部２１に外嵌状態で螺合される筒状の外嵌部４１０であって、軸心方向に一端及び他端を有する外嵌部４１０と、該外嵌部４１０に一端に接続された押圧部４１１であって、ノズル部３０を挿通可能な挿通孔４１２を画定した押圧部４１１とを備える。
【００５８】
外嵌部４１０の内周には、連結部２１の外周に設けられた雄ねじ２１０に対して螺合可能な雌ねじ４１３が形成されている。
【００５９】
押圧部４１１は、外嵌部４１０の一端開口縁部の全周から径方向内方に延出している。これにより、押圧部４１１は、筒部材３のノズル部３０を挿通可能な挿通孔４１２を画定している。また、押圧部４１１は、筒部材３の固定用鍔部３１の少なくとも一部に重ね合わせることができるようになっている。
【００６０】
ガイド部４０は、固定部４１に連続して形成される。ガイド部４０は、ペン５のホルダー部８に対して外嵌可能な筒状に形成される。具体的には、ガイド部４０は、ペン５のホルダー部８を内挿可能な内孔４００を有し、該内孔４００を画定する内周面の少なくとも一部がペン５のホルダー部８の外周面に案内されるようになっている。本実施形態において、ガイド部４０は、固定部４１（外嵌部４１０）と同心で配置される。ガイド部４０は、ノズル部３０の先端がペン５の弁体９１を押圧するまでは、ペン５（ホルダー部８）との干渉を起こさない長さに設定される。
【００６１】
本実施形態において、ガイド部４０には、ペン５の一部と係合可能な係合部４０１が設けられている。より具体的には、ガイド部４０には、ノズル部３０がペン５の弁機構９を開弁した状態で、ペン５の一部と係合する係合部４０１が設けられる。係合部４０１は、凹部及び凸部の少なくとも何れか一方により構成され、ペン５の外周上にある既設の凹部又は凸部の少なくとも何れか他方に対して嵌合するようになっている。
【００６２】
本実施形態に係るインク充填具１は、ホルダー部８の外周に凹部８４の形成されたペン５（図示しないキャップと係合させるための凹部８４を有するペン５：図２参照）を対象としており、これに伴って、ガイド部４０の内周面に係合部４０１としての凸部が設けられている。
【００６３】
上記構成の連結部材４は、筒部材３のノズル部３０を押圧部４１１の画定した挿通孔４１２に挿通し、且つ押圧部４１１を筒部材３の固定用鍔部３１に重ね合わせた状態で、外嵌部４１０を連結部２１に螺合することで、押圧部４１１が筒部材３の固定用鍔部３１を連結部２１の端面とともに挟み込むようになっている。すなわち、外嵌部４１０が連結部２１に螺合されることで、押圧部４１１が連結部２１側に引き寄せられて固定用鍔部３１を押圧するようになっている。これにより、固定用鍔部３１と連結部２１との間が密接（圧接）することになり、筒部材３と貯留部材２との間からの液漏れ（インク漏れ）が防止される。
【００６４】
このように、連結部材４によって筒部材３が固定されたとき、筒部材３は押圧部４１１の挿通孔４１２を画定する内周面によって位置決めされ、ノズル部３０がガイド部４０と同心をなす。
【００６５】
本実施形態に係るインク充填具１は、以上の通りであり、図６及び図７に示す如く、インクの充填の対象となるペン５のペン先部７をホルダー部８（貫通孔８０）から抜き取った上で、ノズル部３０がペン５のホルダー部８における貫通孔８０に挿入される。このとき、ノズル部３０が貫通孔８０に真っ直ぐ浸入するように、ガイド部４０は、ペン５のホルダー部８に案内される。
【００６６】
そして、ノズル部３０がペン５の弁機構９（弁体９１）に到達し、インク充填具１全体がペン５側に押圧されると、図７に示す如く、ノズル部３０が弁体９１を押圧し、弁機構９が開弁する。すなわち、弁部９１０が弁座部９０１から離間し、該弁部９１０を境にした連通路９００の一方側と他方側とが連通する。
【００６７】
本実施形態においては、弁機構９が開弁すると、ガイド部４０の係合部４０１がペン５の一部と係合する。すなわち、ガイド部４０の係合部４０１としての凸部がペン５のホルダー部８の凹部８４に嵌合（係合）し、ノズル部３０が弁体９１を押圧した状態（弁機構９を開弁させた状態）で維持する。
【００６８】
これにより、インクタンク部２０の内部空間Ｓ１は、ホルダー部８の貫通孔８０内にあるノズル部３０の内孔３００、インク流通部３０１、及び開放状態にある連通路９００を介してインク貯留部６の内部空間Ｓ２と連通した状態となる。
【００６９】
従って、インク充填具１は、インクタンク部２０内のインクを、ノズル部３０の内孔３００、インク流通部３０１、及び連通路９００を経由させてインク貯留部６に流入させることができる。なお、本実施形態に係るインク充填具１は、インクタンク部２０の内部空間Ｓ１とノズル部３０の内孔３００とが直接連通しているため、インクタンク部２０内のインクを自由落下によりペン５に供給する必要がある。従って、上述の如く、インクタンク部２０内のインクをペン５に供給するに当り、本実施形態に係るインク充填具１はペン５より上方に位置するように配置される（図６参照）。
【００７０】
そして、ペン５のインク貯留部６にインクが必要量供給されると、ノズル部３０をホルダー部８（貫通孔８０）から抜き取るようにインク充填具１全体を移動させる。そうすると、ノズル部３０による弁体９１の押圧が解除される。その結果、弁体９１が弁座部９０１に当接し、弁機構９（弁本体９０）内の連通路９００が閉塞されるため、インク貯留部６内のインクの漏洩が防止される。そして、ホルダー部８（貫通孔８０）にペン先部７が挿入されることで、インク切れであったペン５が再使用可能な状態となる。
【００７１】
以上のように、インク充填具１は、液状のインクを貯留するインク貯留部６と、インクを含浸可能なペン先部７であって、棒状に成形されたペン先部７と、ペン先部７が軸心方向に移動可能に挿入された貫通孔８０を有するホルダー部８と、ペン先部７とインク貯留部６との間に介設された弁機構９であって、ペン先部７によって押圧されることで開弁し、インク貯留部６とペン先部７とを繋ぐ連通路９００を開放させる弁機構９とを備えたペン５に対してインクを補充するためのインク充填具１であって、液状のインクを貯留可能な内部空間Ｓ１を有するインクタンク部２０と、インクタンク部２０の内部空間Ｓ１と連通する内孔３００を有する筒状のノズル部３０であって、前記貫通孔８０に挿入可能なノズル部３０とを備え、ノズル部３０は、貫通孔８０に挿入された状態で弁機構９を押圧操作可能に構成されるとともに、自身の軸心と直交する方向で内孔３００と外部とを連通させたインク流通部３０１を有する。
【００７２】
従って、上記構成のインク充填具１によれば、インクの充填の対象となるペン５のペン先部７をホルダー部８（貫通孔８０）から抜き取った上で、ノズル部３０がペン５のホルダー部８における貫通孔８０に挿入されると、ノズル部３０がペン５の弁機構９に到達する。
【００７３】
そして、インク充填具１全体がペン５側に押圧されると、ノズル部３０が弁機構９を押圧操作し、弁機構９を開弁させる。そうすると、インクタンク部２０の内部空間Ｓ１は、ホルダー部８の貫通孔８０内にあるノズル部３０の内孔３００、インク流通部３０１、及び開放状態にある連通路９００を介してインク貯留部６の内部空間Ｓ２と連通した状態となる。
【００７４】
より具体的に説明すると、ノズル部３０の内孔３００がインクタンク部２０から真っ直ぐ延びた上でノズル部３０の先端部で閉塞した状態で形成されたり、ノズル部３０の内孔がインクタンク部２０から真っ直ぐ延びた上でノズル部３０の先端で開放して形成され、弁機構９に対する押圧操作によって閉ざされるように形成されたりすると、インクの流量が遮断されてしまう。
【００７５】
しかし、上記構成のインク充填具１のノズル部３０は、自身の軸心と直交する方向で内孔３００と外部とを連通させたインク流通部３０１を有するため、ノズル部３０の先端と異なる位置にあるインク流通部３０１を介してノズル部３０の内孔３００と開放状態の連通路９００とが連通し、結果的にインクタンク部２０とインク貯留部６とが連通する。
【００７６】
これにより、インク充填具１は、インクタンク部２０内のインクを、ノズル部３０の内孔３００、インク流通部３０１、及び連通路９００を経由させてインク貯留部６に流入させることができる。
【００７７】
そして、ペン５のインク貯留部６にインクが必要量供給されると、ノズル部３０をホルダー部８（貫通孔８０）から抜き取るようにインク充填具１全体を移動させる。そうすると、ノズル部３０による弁機構９に対する押圧操作が解除される。その結果、弁機構９内の連通路９００が閉塞されるため、インク貯留部６のインクの漏洩が防止される。そして、ホルダー部８（貫通孔８０）にペン先部７が挿入されることで、インク切れであったペン５が再使用可能な状態となる。
【００７８】
また、本実施形態に係るインク充填具１は、ノズル部３０を包囲した環状のガイド部４０であって、前記ペン５のホルダー部８に外嵌可能なガイド部４０を更に備えているため、ペン５のホルダー部８の貫通孔８０にノズル部３０を挿入するに当り、ガイド部４０がホルダー部８の外周に案内される。従って、ノズル部３０をホルダー部８の貫通孔８０に対して適正且つ確実に挿入することができる。
【００７９】
特に、ノズル部３０の内孔３００は、先端で開口し、前記インク流通部３０１は、ノズル部３０の先端面に形成された凹部で構成されているため、ノズル部３０が弁体９１を押圧したときに、ノズル部３０の先端で開口した内孔は弁体９１によって閉じられるのに併せて、インク流通部（凹部）３０１の開放部分が弁体９１によって閉じられる。従って、インク流通部３０１が孔状になり、インクを内孔から外方に流出させることができる。
【００８０】
なお、本発明は、上記実施形態に限定されるものではなく、本発明の要旨を逸脱しない範囲で適宜変更可能である。
【００８１】
上記実施形態において、インク充填具１の対象となるペン５として、インク貯留部６とホルダー部８とが別部材として構成されたものを一例に挙げたが、これに限定されない。例えば、インク貯留部６とホルダー部８とが一体的に形成されたものであってもよい。すなわち、本実地形態に係るインク充填具１の対象とするペン５のホルダー部８は、ペン５におけるペン先部７を露出させる先端部を意味するものであり、他の構成との関係で一体であってもよいし、別体であってもよい。
【００８２】
また、弁機構９等も上記実施形態で説明したものに限定されるものではなく、上記実施形態で説明したものとは異なる弁機構９を備えたペン５であってもよい。すなわち、インク充填具１の対象となるペン５は、ペン先部７とインク貯留部６との間に介設された弁機構９であって、ペン先部７によって押圧されることで開弁し、インク貯留部６とペン先部７とを繋ぐ連通路９００を開放させる弁機構９とを備えたものであればよい。
【００８３】
ようは、インク充填具１の対象となるペン５は、液状のインクを貯留するインク貯留部６と、インクを含浸可能なペン先部７であって、棒状に成形されたペン先部７と、ペン先部７が軸心方向に移動可能に挿入された貫通孔８０を有するホルダー部８と、ペン先部７とインク貯留部６との間に介設された弁機構９とを備えたものあり、弁機構９は、貫通孔８０とインク貯留部６とを繋ぐ連通路９００を有する弁本体９０であって、前記連通路９００内に環状の弁座部９０１を有する弁本体９０と、連通路９００内にペン先部７の軸心方向で移動可能に配置された弁体９１であって、ペン先部７側に付勢されることで弁座部９０１に当接して連通路９００を閉じる弁体９１とを備え、ペン先部７が軸心方向に押圧されることで該ペン先部７が弁体９１を押圧して開弁するように構成されたものであればよい。
【００８４】
上記実施形態において、ペン５のホルダー部８に外嵌可能なガイド部４０が設けられ、ノズル部３０をペン５の貫通孔８０に挿入するに当たってガイド部４０がペン５のホルダー部８に案内されるように構成されたが、これに限定されない。例えば、ガイド部４０が設けられることなく、単にノズル部３０がペン５のホルダー部８の貫通孔８０に挿入されるものであってもよい。すなわち、インク充填具１は、少なくともインクタンク部２０及びノズル部３０を備えたものであればよい。
【００８５】
上記実施形態において、ノズル部３０の先端に設けられた凹部によってインク流通部３０１が形成されたが、これに限定されない。例えば、図８に示す如く、インク流通部３０１は、ノズル部３０の途中位置に設けられたものであってもよい。すなわち、インク流通部３０１は、ノズル部３０の内孔３００と外部とを連通させる孔であってもよい。但し、インク流通部３０１は、ノズル部３０がペン５のホルダー部８の貫通孔８０に挿入された状態で、ペン５内で開放し得る位置に配置されることは言うまでもない。
【００８６】
上記実施形態において、インク充填具１は、インクタンク部２０、ノズル部３０、ガイド部４０がそれぞれ別部材の一部として構成され、これらの部材を組み付けることで形成されたが、これに限定されるものではなく、インクタンク部２０及びノズル部３０が一体的に成型されたものや、インクタンク部２０、ノズル部３０、及びガイド部４０が一体的に成型されたものであってもよい。
【００８７】
上記実施形態において、ガイド部４０がペン５の一部に係合する係合部４０１を備えたが、これに限定されない。例えば、ガイド部４０が設けられる場合、ガイド部４０は単にペン５のホルダー部８に案内される機能を有するものであってもよい。但し、ペン５の弁機構９を開弁状態で維持させるには、付勢部材９４の付勢力に対抗する押圧力を作用させる必要があるため、上記実施形態のようにペン５とインク充填具１との相対的な位置を固定できる係合部４０１を設けることが好ましい。
【００８８】
上記実施形態において、ホルダー部８にある既設の凹部に係合部４０１としての凸部が嵌合するようにしたが、これに限定されない。例えば、ガイド部４０が設けられるとともに、該ガイド部４０に係合部４０１が設けられる場合、インク貯留部６とホルダー部８との境界に形成される凹部に対して嵌合可能な凸部をガイド部４０に設けてもよい。また、上記実施形態において、ペン５にある既設の凹部に係合可能（嵌合可能）な係合部４０１としての凸部を設けたが、これに限定されない。例えば、ペン５にある既設の凸部に係合可能な係合部４０１としてガイド部４０に凹部を設けるようにしてもよい。また、ペン５にある既設の凸部及び凹部に係合可能な係合部４０１としてガイド部４０に凹部及び凸部を設けるようにしてもよい。
【符号の説明】
【００８９】
１…インク充填具、２…貯留部材、３…筒部材、４…連結部材、５…ペン、６…インク貯留部、７…ペン先部、８…ホルダー部、９…弁機構、２０…インクタンク部、２１…連結部、３０…ノズル部、３１…固定用鍔部、４０…ガイド部、４１…固定部、６０…周壁部、６１…尻部、７０…塗布部、７１…インク供給部、８０…貫通孔、８０ａ…内孔、８０ｂ…内孔、８１…ペン先保持部、８２…弁機構保持部、８２ａ…内孔、８３…保湿部材、８３ａ…内孔、８４…凹部、９０…弁本体、９１…弁体、９２…第一部材、９３…第二部材、９４…付勢部材、２００…胴部、２０１…閉塞部、３００…内孔、３０１…インク流通部、４００…内孔、４０１…係合部、４１０…外嵌部、４１１…押圧部、４１２…挿通孔、８１０…小径筒部、８１１…大径筒部、９００…連通路、９０１…弁座部、９１０…弁部、９１１…被押圧部、９１２…案内部、９２０…本体部、９２０ａ…内孔、９２０ｂ…大径孔部、９２０ｃ…小径孔部、９２１…鍔部、９３０…筒状本体部、９３０ａ…ガイド孔、９３１…弁体案内部、Ｓ…シール部材、Ｓ１…内部空間、Ｓ２…内部空間
【図１】
0006514480.tif 000002
【図２】
0006514480.tif 000003
【図３】
0006514480.tif 000004
【図４】
0006514480.tif 000005
【図５】
0006514480.tif 000006
【図６】
0006514480.tif 000007
【図７】
0006514480.tif 000008
【図８】
0006514480.tif 000009